(57)【要約】【課題】収納部における棒金の誤収納を操作者に認識させることが可能な現金処理装置を提供する。【解決手段】対応する金種の棒金を収納する収納部と、前記棒金を外部へ排出する排出部と、前記収納部に設けられ、前記収納部に収納された前記棒金の金種を判別する判別部と、前記排出部に対して、判別された前記棒金を排出するように指示する制御部と、を備え、前記判別部が、前記棒金が前記収納部に収納されるべきでない金種の棒金であると判別した場合には、前記制御部は、当該棒金を他の前記棒金とは分けて外部へ排出するように、前記排出部に対して指示する、現金処理装置を提供する。【選択図】図６
2017027340.tif 000002
【特許請求の範囲】
【請求項１】
対応する金種の棒金を収納する収納部と、
前記棒金を外部へ排出する排出部と、
前記収納部に設けられ、前記収納部に収納された前記棒金の金種を判別する判別部と、
前記排出部に対して、判別された前記棒金を排出するように指示する制御部と、
を備え、
前記判別部が、前記棒金が前記収納部に収納されるべきでない金種の棒金であると判別した場合には、
前記制御部は、当該棒金を他の前記棒金とは分けて外部へ排出するように、前記排出部に対して指示する、
現金処理装置。
【請求項２】
前記排出部は、前記収納部から繰り出された前記棒金を受け入れ、受け入れた前記棒金を搬送して外部へ排出する搬送部をさらに備え、
前記判別部が、前記棒金が前記収納部に収納されるべきでない金種の棒金であると判別した場合には、
前記制御部は、当該棒金の前記収納部から前記搬送部への繰り出しの一時停止を指示する、
請求項１に記載の現金処理装置。
【請求項３】
前記制御部が一時停止を指示した際に、前記搬送部に繰り出された他の前記棒金がある場合には、
前記制御部は、前記繰り出された他の棒金を外部へ排出するように、前記排出部に指示する、
請求項２に記載の現金処理装置。
【請求項４】
前記排出部は、前記収納部から繰り出された前記棒金を受け入れ、受け入れた前記棒金を搬送して外部へ排出する搬送部をさらに備え、
前記搬送部は、
前記判別部によって前記収納部に収納されるべき金種の棒金であると判別された前記棒金を受け入れる第１の区画と、
前記判別部によって前記収納部に収納されるべきではない金種の棒金であると判別された前記棒金を受け入れる第２の区画と、
を備える、
請求項１に記載の現金処理装置。
【請求項５】
操作者に対して表示を行う表示部を備え、
前記判別部が、前記棒金が前記収納部に収納されるべきでない金種の棒金であると判別した場合には、
前記制御部は、前記表示部に対して、前記収納部に収納されるべきでない金種の棒金を検知した旨の表示を行うように指示する、
請求項１〜４のいずれか１項に記載の現金処理装置。
【請求項６】
前記棒金が外部へ排出される際には、
前記制御部は、前記表示部に対して、排出される前記棒金を取り出すように前記操作者を誘導する第１の誘導表示を行うように指示する、
請求項５に記載の現金処理装置。
【請求項７】
前記棒金が外部へ排出された後には、
前記制御部は、前記表示部に対して、排出された前記棒金を前記収納部に再度充填するように前記操作者を誘導する第２の誘導表示を行うように指示する、
請求項６に記載の現金処理装置。
【請求項８】
前記収納部に収納された前記棒金の数を計数する計数部と、
前記操作者により、再度充填された前記棒金の数の入力操作を受けつける操作部と、
をさらに備え、
前記第２の誘導表示に従って、前記操作者が前記排出された棒金を再度充填した場合には、
前記計数部は、再度充填された前記棒金を計数し、
前記制御部は、前記計数部によって得られた計数結果を、前記操作者によって前記操作部に入力された数値と比較する、
請求項７に記載の現金処理装置。
【請求項９】
前記比較により所定の結果が得られた場合には、
前記制御部は、前記表示部に対して、所定の表示を行うように指示する、
請求項８に記載の現金処理装置。
【発明の詳細な説明】
【技術分野】
【０００１】
本発明は、現金処理装置に関する。
【背景技術】
【０００２】
近年、小売店やスーパーマーケットなどの流通施設および商業施設において、売上金を入金し、釣銭準備金を出金する現金処理装置が設置されている。例えば、現金処理装置には、同一金種の所定枚数の硬貨を棒状に包装して得られる棒金を出金する棒金払出部が含まれている。
【０００３】
例えば、特許文献１には、棒金トレイからバスケット部に棒金を繰り出し、バスケット部を棒金出金口に移動させることで、棒金を出金する棒金払出部（装置）が開示されている。
【先行技術文献】
【特許文献】
【０００４】
【特許文献１】特開２０１０−１６５１６３号公報
【発明の概要】
【発明が解決しようとする課題】
【０００５】
例えば、棒金払出部においては、金種ごとに棒金が収納できるように、複数の棒金トレイ（収納部）が設けられている。詳細には、各棒金トレイには、収納すべき棒金の金種があらかじめ決められており、各棒金トレイには、オペレータ（操作者）によって、対応する金種の棒金が充填される。
【０００６】
しかしながら、棒金は、その外観から、金種を識別することが難しく、各棒金トレイに棒金を充填する際に、オペレータが棒金の金種を正しく識別して、当該金種に対応する棒金トレイに当該棒金を正しく充填することは難しい。したがって、誤った金種の棒金が棒金トレイに充填される場合がある。
【０００７】
そこで、本発明は、上記問題に鑑みてなされたものであり、本発明の目的とするところは、収納部における棒金の誤収納を操作者に認識させることが可能な、新規かつ改良された現金処理装置を提供することにある。
【課題を解決するための手段】
【０００８】
上記課題を解決するために、本発明のある観点によれば、対応する金種の棒金を収納する収納部と、前記棒金を外部へ排出する排出部と、前記収納部に設けられ、前記収納部に収納された前記棒金の金種を判別する判別部と、前記排出部に対して、判別された前記棒金を排出するように指示する制御部と、を備え、前記判別部が、前記棒金が前記収納部に収納されるべきでない金種の棒金であると判別した場合には、前記制御部は、当該棒金を他の前記棒金とは分けて外部へ排出するように、前記排出部に対して指示する、現金処理装置が提供される。
【０００９】
前記排出部は、前記収納部から繰り出された前記棒金を受け入れ、受け入れた前記棒金を搬送して外部へ排出する搬送部をさらに備え、前記判別部が、前記棒金が前記収納部に収納されるべきでない金種の棒金であると判別した場合には、前記制御部は、当該棒金の前記収納部から前記搬送部への繰り出しの一時停止を指示してもよい。
【００１０】
前記制御部が一時停止を指示した際に、前記搬送部に繰り出された他の前記棒金がある場合には、前記制御部は、前記繰り出された他の棒金を外部へ排出するように、前記排出部に指示してもよい。
【００１１】
前記排出部は、前記収納部から繰り出された前記棒金を受け入れ、受け入れた前記棒金を搬送して外部へ排出する搬送部をさらに備え、前記搬送部は、前記判別部によって前記収納部に収納されるべき金種の棒金であると判別された前記棒金を受け入れる第１の区画と、前記判別部によって前記収納部に収納されるべきではない金種の棒金であると判別された前記棒金を受け入れる第２の区画と、を備えてもよい。
【００１２】
前記現金処理装置は、操作者に対して表示を行う表示部を備え、前記判別部が、前記棒金が前記収納部に収納されるべきでない金種の棒金であると判別した場合には、前記制御部は、前記表示部に対して、前記収納部に収納されるべきでない金種の棒金を検知した旨の表示を行うように指示してもよい。
【００１３】
前記棒金が外部へ排出される際には、前記制御部は、前記表示部に対して、排出される前記棒金を取り出すように前記操作者を誘導する第１の誘導表示を行うように指示してもよい。
【００１４】
前記棒金が外部へ排出された後には、前記制御部は、前記表示部に対して、排出された前記棒金を前記収納部に再度充填するように前記操作者を誘導する第２の誘導表示を行うように指示してもよい。
【００１５】
前記現金処理装置は、前記収納部に収納された前記棒金の数を計数する計数部と、前記操作者により、再度充填された前記棒金の数の入力操作を受けつける操作部と、をさらに備え、前記第２の誘導表示に従って、前記操作者が前記排出された棒金を再度充填した場合には、前記計数部は、再度充填された前記棒金を計数し、前記制御部は、前記計数部によって得られた計数結果を、前記操作者によって前記操作部に入力された数値と比較してもよい。
【００１６】
前記比較により所定の結果が得られた場合には、前記制御部は、前記表示部に対して、所定の表示を行うように指示してもよい。
【発明の効果】
【００１７】
以上説明したように、本発明によれば、収納部における棒金の誤収納を操作者に認識させることが可能である。
【図面の簡単な説明】
【００１８】
【図１】第１及び第２の実施形態による現金処理装置の構成を示す説明図である。
【図２】第１及び第２の実施形態による操作表示部に表示されるメニュー画面の一例を示す説明図である。
【図３】第１及び第２の実施形態による操作表示部に表示されるサブメニュー画面の一例を示す説明図である。
【図４】第１及び第２の実施形態による棒金支払部の主要な構成を簡易的に示す説明図である。
【図５】第１及び第２の実施形態による棒金ホッパの動作について説明するための説明図である。
【図６】第１及び第２の実施形態による現金処理装置の動作例を示すフローチャート（その１）である。
【図７】第１及び第２の実施形態による現金処理装置の動作例を示すフローチャート（その２）である。
【図８】第１及び第２の実施形態による現金処理装置の動作例を示すフローチャート（その３）である。
【図９】第１の実施形態による現金処理装置の動作例を示すフローチャートである。
【図１０】第１及び第２の実施形態による操作表示部に表示される画面の具体例を示す説明図（その１）である。
【図１１】第１及び第２の実施形態による操作表示部に表示される操作誘導表示画面の具体例を示す説明図（その１）である。
【図１２】第１及び第２の実施形態による操作表示部に表示される操作誘導表示画面の具体例を示す説明図（その２）である。
【図１３】第１及び第２の実施形態による操作表示部に表示される画面の具体例を示す説明図（その２）である。
【図１４】第１及び第２の実施形態による操作表示部に表示される操作誘導表示画面の具体例を示す説明図（その３）である。
【図１５】第１の実施形態の変形例による現金処理装置の動作例を示すフローチャート（その１）である。
【図１６】第１の実施形態の変形例による現金処理装置の動作例を示すフローチャート（その２）である。
【図１７】第１の実施形態の変形例による現金処理装置の動作例を示すフローチャート（その３）である。
【図１８】第１の実施形態の変形例による現金処理装置の動作例を示すフローチャート（その４）である。
【図１９】第１の実施形態の変形例による現金処理装置の動作例を示すフローチャート（その５）である。
【図２０】第１の実施形態の変形例による棒金ホッパを示す説明図である。
【図２１】第２の実施形態による現金処理装置の動作例を示すフローチャートである。
【図２２】第２の実施形態による操作表示部に表示される操作誘導表示画面の具体例を示す説明図である。
【図２３】第２の実施形態による操作表示部に表示される画面の具体例を示す説明図である。
【発明を実施するための形態】
【００１９】
以下に添付図面を参照しながら、本発明の実施形態について詳細に説明する。ただし、本発明はこの実施形態に限定されない。さらに、本明細書及び全図面にわたり共通する構成要素には、共通する符号を付し、重複する説明は省略する。また、図面は発明の説明とその理解を促すための模式図であり、その形状や寸法、比などは実際の装置とは異なる個所もあるが、これらは以下の説明と公知の技術を参酌して適宜、設計変更することができる。
【００２０】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２１】
本発明の実施形態は、例えば、小売店やスーパーマーケットなどの流通施設および商業施設に設置される現金処理装置に適用される。本実施形態による現金処理装置は、例えば、レジで用いられる釣銭準備金として紙幣、硬貨、および硬貨を棒状に包装して得られる棒金を出金する釣銭出金、およびレジから回収された紙幣および硬貨を入金する売上入金などの処理を実行することが可能である。以下、このような本実施形態による現金処理装置の構成および動作について順次詳細に説明する。
【００２２】
＜１．現金処理装置の構成＞
図１は、本実施形態による現金処理装置１の構成を示す説明図である。図１に示したように、本実施形態による現金処理装置１は、紙幣投入口１０１と、紙幣一時保留部１０３と、紙幣鑑別部１０５と、万券カセット１０７と、五千券カセット１０９と、千券カセット１１１と、回収カセット１１３と、リジェクト部１１５と、硬貨投入口１１７と、硬貨鑑別部１１９と、硬貨一時保留部１２１と、硬貨返却部１２３と、出金ホッパ（硬貨収納部）１２５と、硬貨回収庫１２７と、硬貨出金箱１２９と、カードリーダ部１３１と、操作表示部１３３と、棒金支払部１４０と、制御部１５０とを有する。
【００２３】
紙幣投入口１０１は、現金処理装置１に入金される紙幣が投入される投入口である。また、紙幣投入口１０１は、紙幣の出金口でもあり、紙幣投入口１０１から売上入金の取り消しにより返却される紙幣、出金される紙幣、および紙幣鑑別部１０５により正常ではないとしてリジェクトされた紙幣が出金される。
【００２４】
紙幣一時保留部１０３は、入金計数時および売上金作成時に、一時的に紙幣を集積する集積部である。また、紙幣鑑別部１０５は、投入された紙幣が正常な紙幣であるか否かを、各種センサを用いて鑑別する鑑別部である。
【００２５】
万券カセット１０７、五千券カセット１０９、および千券カセット１１１は、それぞれ万券、五千券、および千券の紙幣を収納するリサイクルカセット（紙幣カセット）である。具体的には、万券カセット１０７、五千券カセット１０９、および千券カセット１１１（各紙幣カセット）には、バラ状態の各種紙幣が釣銭準備金として収納される。また、各紙幣カセットには、売上として入金され、紙幣鑑別部１０５で正常と鑑別された各種紙幣が収納される。さらに、釣銭出金時には、各紙幣カセットから各種紙幣が出金される。
【００２６】
回収カセット１１３は、売上回収のためのカセットである。具体的には、回収カセット１１３には、精算集計時に、各紙幣カセットから移動された紙幣が売上金として収納される。
【００２７】
リジェクト部１１５は、紙幣鑑別部１０５によって正常な紙幣ではないと鑑別された紙幣、すなわちリジェクトされた紙幣が集積される集積部である。具体的には、リジェクト部１１５には、売上入金時に紙幣一時保留部１０３から各紙幣カセットに紙幣を搬送する過程で紙幣鑑別部１０５によってリジェクトされた紙幣、各紙幣カセットから釣銭出金を行う過程で紙幣鑑別部１０５によってリジェクトされた紙幣、精算集計時に各紙幣カセットから回収カセット１１３に紙幣を搬送する過程で紙幣鑑別部１０５によってリジェクトされた紙幣などが集積される。
【００２８】
硬貨投入口１１７は、硬貨が投入される開口部である。また、硬貨鑑別部１１９は、投入された硬貨が正常な硬貨であるか否かを、各種センサを用いて鑑別する鑑別部である。さらに、硬貨一時保留部１２１は、入金計数時および精算集計時に、一時的に硬貨が集積される集積部である。
【００２９】
硬貨返却部１２３は、硬貨の返却口であり、計数が行われた硬貨、売上入金の取り消しがなされた硬貨が返却される。また、出金ホッパ（硬貨収納部）１２５には、売上入金によって投入された各種硬貨が収納されており、釣銭出金時には出金ホッパ１２５から各種硬貨が出金される。
【００３０】
硬貨回収庫１２７は、売上回収のためのカセットである。具体的には、硬貨回収庫１２７には、精算集計時に出金ホッパ１２５から移動された硬貨が売上金として収納される。また、硬貨出金箱１２９は、釣銭出金時に硬貨を出金するための硬貨出金口である。
【００３１】
カードリーダ部１３１は、レジカードやＩＤカード等に書き込まれた情報を読み取ることができる。レジカードやＩＤカード等に書き込まれる情報としては、例えば、カードを利用するオペレータを識別するための情報、および許可されている取引の種類を示す情報が挙げられる。このカードリーダ部１３１から読み取られる情報が事前に登録されている情報と一致する場合、現金処理装置１の利用が制御部１５０により許可される。なお、現金処理装置１は、カードリーダ部１３１に加えて、あるいはカードリーダ部１３１に代えて、指紋認識を行う指紋認識部、または暗証番号の入力を受け付ける暗証番号入力部を有してもよい。
【００３２】
操作表示部１３３は、オペレータによる入力操作を受けつける操作部としての機能、および各種画面をオペレータに対して表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。なお、表示部および操作部の機能は分離して構成されてもよい。
【００３３】
棒金支払部１４０は、棒金排出口１４２を有し、釣銭出金において棒金を棒金排出口１４２から出金する。棒金支払部１４０の具体的な構成については、後で説明する。
【００３４】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置等のデータ格納用記憶装置等で構成される。この制御部１５０は、データ格納用記憶装置に記憶されたプログラムに従って、現金処理装置１の動作全般を制御する。例えば、制御部１５０は、棒金支払部１４０に対して、棒金を排出するように制御することができる。また、制御部１５０は、行った処理に関する情報を、データ格納用記憶装置に記録することもできる。
【００３５】
＜２．現金処理装置が行う各種処理＞
次に、本実施形態による現金処理装置１において実現される主な処理の概要を説明する。
【００３６】
図２は、操作表示部１３３に表示されるメニュー画面４０の具体例を示す説明図である。図２に示したように、メニュー画面４０は、「０１：釣銭出金」ボタン、「０２：売上入金」ボタン、「０３：計数」ボタン、「０４：照会」ボタン、「０５：数え直し」ボタン、「０６：精算集計」ボタン、「０７：売上回収」ボタン、及び「０８：補充」ボタンなど、現金処理装置１が実行可能な処理と関連付けられた選択ボタンを含む。オペレータは、このメニュー画面４０からの選択ボタンの選択により、所望の処理を現金処理装置１に実行させることが可能である。なお、メニュー画面４０は、図２に示される選択ボタンに限定されることはなく、現金処理装置１が実行可能な他の処理と関連付けられた選択ボタンを含むことができる。また、メニュー画面４０は、図２に示されるように、メニュー画面４０が表示された日時等を含んでいてもよく、図２に図示しない選択ボタン、表示等を含んでいてもよい。
【００３７】
以下に、メニュー画面４０に含まれる各選択ボタンに関連付けられた処理の概要を説明する。
【００３８】
（釣銭出金処理）
釣銭出金は、各紙幣カセット（万券カセット１０７と、五千券カセット１０９と、千券カセット１１１）および出金ホッパ１２５から釣銭準備金を出金するための処理である。オペレータにより釣銭出金処理の実行を指示する操作（図２のメニュー画面４０の「０１：釣銭出金」ボタンを選択）がなされると、制御部１５０は、金種ごとの出金量をオペレータが入力するための出金量入力画面を操作表示部１３３に表示させる。そして、オペレータが、出金量入力画面に対して、各種紙幣、硬貨及び棒金の出金量を入力すると、現金処理装置１は、オペレータが入力した量の紙幣、硬貨および棒金を出金する。
【００３９】
なお、上記では、オペレータが金種ごとの出金量を出金量入力画面に対して入力する例を説明したが、本実施形態はかかる例に限定されるものではない。例えば、オペレータが釣銭出金処理の実行を指示する操作を行った場合、制御部１５０は、パターン出金および任意選択出金の各々の選択表示を含むサブメニュー画面を操作表示部１３３に表示させる。さらに、オペレータがパターン出金を選択した場合には、現金処理装置１は、事前に登録された金種ごとの出金量に従う出金を行う。一方、オペレータが任意選択出金を選択した場合には、制御部１５０は、上記の出金量入力画面を操作表示部１３３に表示させ、オペレータが出金量入力画面に出金量を入力するように誘導してもよい。
【００４０】
（売上入金処理）
売上入金は、レジから回収された紙幣および硬貨を紙幣カセット（万券カセット１０７と、五千券カセット１０９と、千券カセット１１１）および出金ホッパ１２５に収納するための処理である。例えば、オペレータにより売上入金処理の実行を指示する操作（図２のメニュー画面４０の「０２：売上入金」ボタンを選択）がなされると、制御部１５０は、紙幣投入口１０１および硬貨投入口１１７のシャッタを開放し、紙幣および硬貨の投入を誘導する入金誘導表示画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００４１】
さらに、制御部１５０は、計数により得られた入金合計金額を操作表示部１３３に表示させる。そして、オペレータにより入金合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。なお、紙幣および硬貨の収納時点で売上（入金合計が出金合計を上回る金額）が発生している場合、高額な紙幣が優先的に回収カセット１１３に収納される。
【００４２】
（計数処理）
計数は、投入された紙幣および硬貨の計数を行った後、紙幣および硬貨を返却する処理である。例えば、オペレータにより計数処理の実行を指示する操作（図２のメニュー画面４０の「０３：計数」ボタンを選択）がなされると、制御部１５０は、紙幣投入口１０１および硬貨投入口１１７のシャッタを開放し、紙幣および硬貨の投入を誘導する入金誘導表示画面を操作表示部１３３に表示させる。その後、制御部１５０は、紙幣投入口１０１および硬貨投入口１１７から投入された紙幣および硬貨を計数する。ここで、紙幣鑑別部１０５により正常と判断された紙幣は紙幣一時保留部１０３に集積され、硬貨鑑別部１１９により正常と判断された硬貨は硬貨一時保留部１２１に集積される。また、紙幣鑑別部１０５によりリジェクトされた紙幣は紙幣投入口１０１から返却され、硬貨鑑別部１１９によりリジェクトされた硬貨は硬貨返却部１２３から返却される。
【００４３】
さらに、制御部１５０は、計数により得られた入金合計金額を操作表示部１３３に表示させる。そして、オペレータにより入金合計金額の確認操作が行われると、紙幣一時保留部１０３の紙幣が紙幣投入口１０１から返却され、硬貨一時保留部１２１の硬貨が硬貨返却部１２３から返却される。
【００４４】
（照会処理）
照会は、それまでの現金処理装置１において行われた操作の履歴や、現金処理装置１内の有高等を照会する処理である。例えば、例えば、オペレータにより照会処理の実行を指示する操作（図２のメニュー画面４０の「０４：照会」ボタンを選択）がなされると、制御部１５０は、照会対象の選択画面を操作表示部１３３に表示させる。その後、制御部１５０は、オペレータにより選択された照会対象の情報を操作表示部１３３に表示させる。
【００４５】
（数え直し処理）
数え直し処理は、現金処理装置１内の有高を確認するための処理である。詳細には、現金処理装置１の紙幣カセット（万券カセット１０７と、五千券カセット１０９と、千券カセット１１１）内の紙幣と、リジェクト部１１５内の紙幣と、出金ホッパ（硬貨収納部）１２５内の硬貨と、棒金支払部１４０内の棒金とについて、金種を判別し、計数する処理である。例えば、オペレータにより数え直し処理の実行を指示する操作（図２のメニュー画面４０の「０５：数え直し」ボタン）がなされると、制御部１５０は、図３に示すような数え直し処理を行う各箇所の選択表示を含むサブメニュー画面５０を操作表示部１３３に表示させる。図３は、操作表示部１３３に表示されるサブメニュー画面５０の具体例を示す説明図である。サブメニュー画面５０は、「５１：紙幣カセット」ボタンと、「５２：硬貨収納部」ボタンと、「５３：棒金支払部」ボタンと、「５４：すべて」ボタン等、数え直し処理を行う箇所と関連付けられた選択ボタンを含む。
【００４６】
さらに、例えば、オペレータにより「５１：紙幣カセット」ボタンが選択されると、制御部１５０は、現金処理装置１の扉を解錠し、紙幣カセットからの紙幣の取り出しを誘導する画面を操作表示部１３３に表示させる。その後、オペレータにより紙幣の取り出しが行われ、現金処理装置１の扉が閉められると、制御部１５０は、紙幣の投入を誘導する画面を操作表示部１３３に表示させる。その後、制御部１５０は、紙幣投入口１０１から投入された紙幣を計数する。ここで、紙幣鑑別部１０５により正常と判断された紙幣は紙幣一時保留部１０３に集積される。また、紙幣鑑別部１０５によりリジェクトされた紙幣は紙幣投入口１０１から返却される。さらに、制御部１５０は、計数により得られた合計金額を操作表示部１３３に表示させる。そして、オペレータにより合計金額の確認操作が行われると、紙幣一時保留部１０３から紙幣カセットに紙幣が搬送され、紙幣カセットが当該紙幣を収納する。
【００４７】
また、例えば、オペレータにより「５２：硬貨収納部」ボタンが選択されると、同様に、制御部１５０は、現金処理装置１の扉を解錠し、出金ホッパ１２５からの硬貨の取り出しを誘導する画面を操作表示部１３３に表示させる。その後、オペレータにより硬貨の取り出しが行われ、現金処理装置１の扉が閉められると、制御部１５０は、硬貨の投入を誘導する画面を操作表示部１３３に表示させる。その後、制御部１５０は、硬貨投入口１１７から投入された硬貨を計数する。ここで、硬貨鑑別部１１９により正常と判断された硬貨は硬貨一時保留部１２１に集積される。また、硬貨鑑別部１１９によりリジェクトされた硬貨は硬貨返却部１２３から返却される。さらに、制御部１５０は、計数により得られた合計金額を操作表示部１３３に表示させる。そして、オペレータにより合計金額の確認操作が行われると、紙幣一時保留部１０３から紙幣カセットに紙幣が搬送され、紙幣カセットが当該紙幣を収納する。同様に、硬貨一時保留部１２１から出金ホッパ１２５に硬貨が搬送され、出金ホッパ１２５が当該硬貨を収納する。
【００４８】
また、例えば、オペレータにより「５３：棒金支払部」ボタンを選択されると、棒金支払部１４０内の棒金について数え直し処理を行う。棒金支払部１４０内の棒金の数え直し処理の具体的な内容については、後で説明する。
【００４９】
なお、オペレータがサブメニュー画面５０の「５４：すべて」を選択した場合には、現金処理装置１は、紙幣カセット内の紙幣と、リジェクト部１１５内の紙幣と、出金ホッパ（硬貨収納部）１２５内の硬貨と、棒金支払部１４０内の棒金とについて、金種を判別し、計数する処理を一連の処理として実行する。また、サブメニュー画面５０は、サブメニュー画面５０が表示された日時等を含んでいてもよい。なお、サブメニュー画面５０は、図３に示される表示に限定されることはなく、例えば、メニュー画面４０に戻るための選択ボタン等を含んでいてもよい。
【００５０】
（精算集計処理）
精算集計は、それまでの出金および入金取引を集計し、売上額（入金合計―出金合計）を算出する処理である。例えば、オペレータにより精算集計処理の実行を指示する操作（図２のメニュー画面４０の「０６：精算集計」ボタンを選択）がなされると、制御部１５０は、売上額と既に回収カセット１１３に収納した紙幣額との差分を売上移動金額として算出する。そして、制御部１５０は、高額券の紙幣を優先して紙幣カセット（万券カセット１０７と、五千券カセット１０９と、千券カセット１１１）から回収カセット１１３に移動させ、出金ホッパ１２５から硬貨を回収カセット１１３に移動させ、売上金を作成するための制御を行う。
【００５１】
（売上回収処理）
売上回収は、オペレータによる売上金の回収を可能とするための処理である。例えば、オペレータにより売上回収処理の実行を指示する操作（図２のメニュー画面４０の「０７：売上回収」ボタンを選択）がなされると、制御部１５０は、現金処理装置１の扉を解錠し、オペレータに対して回収カセット１１３の脱着を誘導する誘導表示画面を操作表示部１３３に表示させる。オペレータにより、回収カセット１１３が脱着され、売上金が回収され、空の回収カセット１１３がセットされると、処理が完了する。オペレータは、回収した売上金を例えば金融機関等に入金する。
【００５２】
（補充処理）
補充は、釣銭用の紙幣および硬貨を紙幣カセット（万券カセット１０７と、五千券カセット１０９と、千券カセット１１１）および出金ホッパ１２５に補充するための処理である。例えば、オペレータにより補充処理の実行を指示する操作（図２のメニュー画面４０の「０８：補充」ボタンを選択）がなされると、制御部１５０は、紙幣投入口１０１および硬貨投入口１１７のシャッタを開放し、オペレータに対して、紙幣および硬貨の投入を誘導する入金誘導表示画面を操作表示部１３３に表示させる。そして、オペレータにより、紙幣投入口１０１および硬貨投入口１１７に紙幣および硬貨が投入されると、制御部１５０は、投入された紙幣および硬貨を紙幣カセットおよび出金ホッパ１２５に収納するための制御を行う。
【００５３】
なお、現金処理装置１は、オフラインで運用されてもよいし、店舗会計システム等の上位サーバと連携してオンラインで運用されてもよい。現金処理装置１は、オンラインで運用される場合、ＬＡＮなどで接続される上位サーバに対して各処理の結果を電文として送信する。
【００５４】
＜３．棒金支払部の構成＞
以上、現金処理装置１により実行される主な処理の概要を説明した。上述した処理のうち、本発明の実施形態は、棒金支払部１４０の数え直し処理に深く関連し、すなわち、数え直し処理における棒金支払部１４０の動作に関連する。なお、棒金Ｐとは、同一の金種の硬貨を例えば５０枚ずつ紙やビニール等の包装で棒状（円柱状）に包装したものである。そして、以下の説明において、棒金Ｐの硬貨面とは、円柱状の棒金Ｐの上面及び下面のことを意味する。まずは、棒金支払部１４０の構成を説明する。
【００５５】
図４は、棒金支払部１４０の主要な構成を簡易的に示す説明図である。詳細には、図４は、棒金支払部１４０の内部を棒金支払部１４０の側面から見た図であり、棒金支払部１４０の内部の理解のために、棒金支払部１４０の側面の図示を省略している。なお、図４の左側が、現金処理装置１を操作するオペレータ（操作者）の側となる。図４に示したように、棒金支払部１４０には、複数の棒金トレイ（収納部）１４３ａ〜ｆと、棒金Ｐを外部へ排出する機構（排出部）としての、棒金排出口１４２と、棒金排出口１４２に設けられた排出口シャッタ１４８と、棒金Ｐを搬出する棒金ホッパ（搬送部）１４５とが設けられている。そして、棒金支払部１４０の有するこれらの部位は、制御部１５０によって、制御される。
【００５６】
（棒金トレイ）
棒金トレイ１４３は、棒金Ｐを収納する棒金収納部である。例えば、棒金トレイ１４３は、図４に示されるように、現金処理装置１に複数設けられており、対応する金種の棒金Ｐを収納する。例えば、棒金トレイ１４３には、１円硬貨の棒金Ｐを収納するための１円硬貨用棒金トレイ１４３ａと、５円硬貨の棒金Ｐを収納するための５円硬貨用棒金トレイ１４３ｂと、１０円硬貨の棒金Ｐを収納するための１０円硬貨用棒金トレイ１４３ｃと、５０円硬貨の棒金Ｐを収納するための５０円硬貨用棒金トレイ１４３ｄと、１００円硬貨の棒金Ｐを収納するための１００円硬貨用棒金トレイ１４３ｅと、５００円硬貨の棒金Ｐを収納するための５００円硬貨用棒金トレイ１４３ｆとが含まれる。なお、棒金トレイ１４３は、図４に示すように６つに限定されるものではなく、例えば、同じ金種のための棒金トレイ１４３が複数あってもよい。具体的には、多く釣銭等で使用される硬貨については、当該硬貨の金種の棒金Ｐを収納するための棒金トレイ１４３を２つ以上設けてもよい。さらに、各金種に対応する棒金トレイ１４３ａ〜ｆの位置に関しても、図４に示される順に限定されるものではなく、各金種に対応するように棒金トレイ１４３が設けられていれば、適宜変更してもよい。
【００５７】
また、例えば、各棒金トレイ１４３は、図４に示したように、棒金ホッパ１４５側に近づくほど低くなるように傾斜している。そして、各棒金トレイ１４３には、複数の棒金Ｐが、各棒金Ｐの軸方向が棒金トレイ１４３の傾斜方向と直交するように並べて収納される。すなわち、棒金Ｐの転がり方向は、各棒金トレイ１４３の傾斜方向と一致する。このため、各棒金トレイ１４３に収納される棒金Ｐには、重力により、棒金ホッパ１４５側に転がろうとする力が作用する。
【００５８】
そして、棒金トレイ１４３の側面には、棒金トレイ１４３に収納された各棒金Ｐの硬貨面を露出するように、スリット（図示省略）が設けられている。後で説明する金種判別センサ１５４は、スリット（図示省略）から露出する各棒金Ｐの硬貨面に基づいて、棒金トレイ１４３に収納された各棒金Ｐの金種を判別することができる。
【００５９】
さらに、棒金トレイ１４３は、図４に示すように、棒金支払部１４０に格納されており、棒金支払部１４０の側面に設けられた扉１５８を開放することにより、オペレータは、棒金トレイ１４３に棒金Ｐを補充することができる。また、扉１５８は、制御部１５０によって施錠されることで、棒金支払部１４０の金庫性を確保する。さらに、扉１５８の開閉は、扉１５８に設けられた開閉センサ（図示省略）によって検知するようにしてもよい。なお、図４においては、扉１５８は、棒金支払部１４０のオペレータ側とは反対側の側面に設けられているが、これに限定されるものではなく、オペレータが棒金トレイ１４３に棒金Ｐを補充することができるような位置に設けてあればよい。
【００６０】
（計数センサ）
各棒金トレイ１４３に収納された棒金Ｐの数を計数するため、各棒金トレイ１４３に対応する金種に応じて、計数センサ（計数部）１５２が設けられている。計数センサ１５２としては、例えば、光を照射する第１の計数センサと、第１の計数センサから照射された光を受光する第２の計数センサとの一対からなる受発光センサが挙げられる。第１の計数センサと第２の計数センサとは、棒金トレイ１４３の側面に設けられたスリット（図示省略）を介して、棒金Ｐの各硬貨面に向かいあうようにそれぞれ設置される。具体的には、例えば、第１の計数センサと第２の計数センサとは、一対の可動棒１６０にそれぞれ設けられ、一対の可動棒１６０が、棒金トレイ１４３を、棒金トレイ１４３に収納された棒金Ｐの軸方向に沿って挟み込む。そして、一対の可動棒１６０は、制御部１５０により制御される駆動装置（図示省略）によって駆動し、棒金トレイ１４３の底面と平行に設けられたレール１６２に沿って一体に移動する。すなわち、この一対の可動棒１６０は、棒金トレイ１４３に収納された棒金Ｐを挟み込みながら、棒金トレイ１４３に収納された棒金Ｐの整列方向に沿って移動する。このため、一対の第１の計数センサと第２の計数センサとは、棒金Ｐを収納する棒金トレイ１４３の底に対して所定の高さを維持しながら、棒金トレイ１４３に収納された棒金Ｐの硬貨面に沿って移動することができる。
【００６１】
また、一対の第１の計数センサ及び第２の計数センサの設置される高さは、各棒金トレイ１４３に対応する金種に応じて定められている。例えば、一対の第１の計数センサ及び第２の計数センサは、第１の計数センサからスリット（図示省略）を介して棒金Ｐの硬貨面に照射される光が、棒金トレイ１４３に対応する金種の棒金Ｐの硬貨面の中心を照射せず、且つ、当該中心からずれた位置の硬貨面を照射することが可能な高さを維持しながら移動するように設置される。そのため、一対の第１の計数センサ及び第２の計数センサの移動に従って、第２の計数センサは、第１の計数センサから照射される光の経路が硬貨面にかからないため光が受光できる状態と、第１の計数センサから照射される光が棒金Ｐの硬貨面によって遮られ受光できない状態との２つの状態を、連続的に検知しうる。そして、一対の第１の計数センサ及び第２の計数センサを用いて、受光できる状態から受光できない状態へ、さらに受光できない状態から再び受光できる状態へと変化する状態変化の回数をカウントすることにより、棒金トレイ１４３に収納された棒金Ｐの数を計数することができる。また、制御部１５０は、このような計数センサ１５２の出力に基づく計数結果を棒金トレイ１４３に対応する金種と結び付けて制御部１５０のデータ格納用記憶装置に記録する。なお、計数センサ１５２は、このような受発光センサに限定されるものではなく、棒金トレイ１４３に収納された棒金Ｐの重さを測定する重量センサであってもよく、特に限定されるものではない。
【００６２】
（金種判別センサ）
各棒金トレイ１４３に収納された各棒金Ｐの金種を判別するため、各棒金トレイ１４３に対応する金種に応じて、金種判別センサ（判別部）１５４が設けられている。金種判別センサ１５４としては、例えば、各棒金トレイ１４３に収納された棒金Ｐの硬貨面の径を測定するようなセンサが挙げられる。
【００６３】
具体的には、棒金Ｐの硬貨面の径を測定する金種判別センサ１５４としては、光を照射する第１の判別センサと、第１の判別センサから照射された光を受光する第２の判別センサとの一対からなる受発光センサが挙げられる。金種判別センサ１５４としての第１の判別センサと第２の判別センサとは、上述の計数センサ１５２と同様に、棒金トレイ１４３の側面に設けられたスリット（図示省略）を介して棒金Ｐの各硬貨面に向かいあうように、棒金トレイ１４３を棒金トレイ１４３に収納された棒金Ｐの軸方向に沿って挟み込む一対の可動棒１６０に設けられる。そして、この一対の可動棒１６０は、上述のように、制御部１５０により制御される駆動装置（図示省略）によって駆動し、棒金トレイ１４３の底面と平行に設けられたレール１６２に沿って一体に移動する。このため、一対の第１の判別センサと第２の判別センサとは、上述の計数センサ１５２と同様に、棒金トレイ１４３に収納された棒金Ｐの整列方向に沿って、棒金Ｐを収納する棒金トレイ１４３の底に対して所定の高さを維持しながら、棒金トレイ１４３に収納された各棒金Ｐの硬貨面に沿って移動する。
【００６４】
また、この場合、上述の計数センサ１５２と同様に、一対の第１の判別センサ及び第２の判別センサの高さは、各棒金トレイ１４３に対応する金種に応じて定められており、例えば、第１の判別センサからスリット（図示省略）を介して棒金Ｐの硬貨面に照射される光が、棒金トレイ１４３に対応する金種の棒金Ｐの硬貨面の中心を照射せず、且つ、当該中心からずれた位置の硬貨面を照射することが可能な高さとすることができる。そして、一対の第１の判別センサと第２の判別センサとを一定速度で移動させることにより、第２の判別センサが受光できる状態から受光できない状態に変化してから再度受光できる状態に戻るまでの一対の第１及び第２の判別センサの移動長さを計測し、一対の第１及び第２の判別センサの高さにおける棒金Ｐの径を測定することができる。さらに、あらかじめ制御部１５０のデータ格納用記憶装置に記録された、一対の第１及び第２の判別センサの高さにおける金種ごとの径を参照、比較することにより、棒金Ｐの金種を判別することができる。また、一対の第１及び第２の判別センサの高さは、例えば、各棒金トレイ１４３に対応する金種の硬貨が、硬貨の中央部に穴が開いている硬貨である場合には、第１及び第２の判別センサの高さは、第１の判別センサからスリット（図示省略）を介して棒金Ｐの硬貨面に照射される光が棒金トレイ１４３に対応する金種の棒金Ｐの硬貨面の中心部の穴を照射することが可能な高さであってもよい。このようにすることで、第１及び第２の判別センサは、当該金種の棒金Ｐの硬貨面における半径を測定することができ、あらかじめ制御部１５０のデータ格納用記憶装置に記録された、一対の第１及び第２の判別センサの高さにおける金種ごとの半径を参照、比較することにより、棒金Ｐの金種を判別することができる。
【００６５】
そして、制御部１５０は、金種判別センサ１５４の出力に基づく金種の判別結果を制御部１５０のデータ格納用記憶装置に記録することができる。なお、金種判別の精度を維持しつつ、金種の判別にかかる時間が長くなることを抑えるために、金種判別を行う対象は、棒金トレイ１４３に収納される棒金Ｐのうち、ロータリーシュータ１４４に収納された棒金Ｐと、ロータリーシュータ１４４に収納された棒金Ｐから数えて所定の数（例えば３個）分の棒金Ｐとする。
【００６６】
なお、金種判別センサ１５４の態様は、上述の受発光センサに限定されるものではなく、磁気センサや、重量センサや、棒金Ｐの包装に印字された文字を認識する画像認識センサ等であってもよい。また、上述の計数センサ１５２に、棒金Ｐの硬貨面の径を測定する機能を付加することにより、上述の計数センサ１５２を金種判別センサ１５４として用いることも可能である。
【００６７】
（ロータリーシュータ）
ロータリーシュータ（繰り出し部）１４４は、各棒金トレイ１４３に収納された棒金Ｐを棒金ホッパ１４５に繰り出すための繰り出し部である。ロータリーシュータ１４４は、各棒金トレイ１４３の棒金ホッパ１４５側の端部に位置し、棒金トレイ１４３側に開口している。ここで、棒金Ｐには、上述したように棒金ホッパ１４５側に転がろうとする力が作用しているため、棒金Ｐは、ロータリーシュータ１４４の開口を介してロータリーシュータ１４４に転がり込み、ロータリーシュータ１４４に格納される。さらに、ロータリーシュータ１４４は、棒金Ｐを格納した状態で制御部１５０からの制御に基づいて回転することにより、棒金Ｐを棒金ホッパ１４５に繰り出すことができる。なお、ロータリーシュータ１４４の繰り出しの詳細については、後で説明する。また、制御部１５０は、ロータリーシュータ１４４によって繰り出した棒金Ｐの数を、制御部１５０のデータ格納用記憶装置に記録してもよい。
【００６８】
（棒金ホッパ）
棒金ホッパ１４５は、棒金トレイ１４３から繰り出された棒金Ｐを受け入れ、棒金Ｐを現金処理装置１の外部へ排出するために、棒金Ｐを棒金排出口１４２まで搬送する棒金搬送部である。さらに、棒金ホッパ１４５の動作について説明する。図５は、ロータリーシュータ１４４及び棒金ホッパ１４５の動作について説明するための説明図である。図５は、図４に対応するが、わかりやすくするために、図４の可動棒１６０と、レール１６２と、計数センサ１５２と、金種判別センサ１５４の図示が省略されており、棒金ホッパ１４５については、その内部が見えるように図示している。
【００６９】
棒金ホッパ１４５は、図５（ａ）に示すように、棒金支払部１４０の下側に位置している。次に、例えば、図５（ｂ）に示すように、棒金ホッパ１４５は、制御部１５０の制御に基づいて目標の棒金トレイ１４３ｂの高さまで上昇する。そして、ロータリーシュータ１４４は、回転軸Ｃを中心に回転し、ロータリーシュータ１４４に収納された棒金Ｐを当該回転により繰り出す。そして、繰り出された棒金Ｐを棒金ホッパ１４５が受け入れる。なお、棒金ホッパ１４５には、所定の数（例えば１０個）までの棒金Ｐを受け入れることができる。
【００７０】
ここで、棒金ホッパ１４５の底面は、棒金トレイ１４３から離れるほど低くなるように傾斜している。このため、棒金ホッパ１４５に繰り出された棒金Ｐは、理想的には、棒金トレイ１４３の底面を転がることにより、棒金ホッパ１４５の棒金トレイ１４３から遠い側の壁面に当接する。なお、２本目以降に繰り出される棒金Ｐは、同様に棒金トレイ１４３の底面を転がり、直近に繰り出された棒金Ｐに当接した状態で静止することができる。
【００７１】
また、棒金ホッパ１４５には、棒金ホッパ１４５内の棒金Ｐの有無を検出するための棒金センサ１４６が、棒金トレイ１４３から遠い側の壁面側に設けられている。したがって、制御部１５０は、棒金センサ１４６からの出力に基づき、棒金ホッパ１４５に棒金Ｐが存在するか否かを判断することが可能である。
【００７２】
さらに、棒金ホッパ１４５は、モータおよびベルトを含む駆動系（図示省略）を有し、当該駆動系が制御部１５０からの制御に従って動作することにより、図５（ｃ）に示すように、棒金排出口１４２まで上昇し、受け入れた棒金Ｐを棒金排出口１４２まで搬送することができる。
【００７３】
（排出口シャッタ）
排出口シャッタ１４８は、棒金排出口１４２に設けられる開閉部材である。排出口シャッタ１４８は、制御部１５０からの制御に基づき、棒金排出口１４２を開放または閉鎖する。例えば、図５（ｃ）に示すように、棒金ホッパ１４５が棒金排出口１４２まで上昇すると、排出口シャッタ１４８は、制御部１５０からの制御に基づいて棒金排出口１４２を開放する。これにより、オペレータが棒金排出口１４２から棒金Ｐを取り出せるようになる。
【００７４】
＜４．現金処理装置の動作＞
（第１の実施形態）
先に説明したように、本発明の実施形態は数え直し処理に深く関連し、特に、棒金支払部１４０の数え直し処理に関連する。以下に、図２から図１４を参照して、本発明の第１の実施形態を説明する。
【００７５】
本実施形態は、簡単に説明すると、棒金支払部１４０の棒金トレイ１４３に収納された棒金Ｐに対して金種の判別を行い、当該判別結果に基づき、棒金トレイ１４３に対応する正しい金種の棒金Ｐと、棒金トレイ１４３に対応しない誤った金種の棒金Ｐとを、オペレータがそれぞれを区別できるように棒金支払部１４０の外部に排出する。この際、棒金トレイ１４３に対応する正しい金種の棒金Ｐと、棒金トレイ１４３に対応しない誤った金種の棒金Ｐとを分けて排出する。さらに、本実施形態は、オペレータに対して、排出された棒金Ｐを、棒金Ｐの金種に対応する棒金トレイ１４３に正しく再充填することを促すものである。
【００７６】
図６から図９は、本発明の第１の実施形態による棒金支払部１４０の数え直し処理の一例を示すフローチャートである。これらのフローチャートは、互いにつながっており、一連の数え直し処理のフローチャートを構成する。これらのフローチャートを参照して、本実施形態を説明する。
【００７７】
まず、図６のフローチャートに示されるステップＳ１０１からステップＳ１２３を説明する。オペレータにより、棒金Ｐが現金処理装置１の棒金トレイ１４３に補充され、操作表示部１３３に表示されるメニュー画面４０の「０５：数え直し」ボタンに対して操作がなされる（図２参照）と、制御部１５０は、操作表示部１３３にサブメニュー画面５０(図３参照)を表示させる。オペレータが、サブメニュー画面５０の「５３：棒金支払部」ボタンを選択した場合には、現金処理装置１は、棒金支払部１４０の数え直し処理を開始する。以下の説明においては、１円硬貨の棒金Ｐに対応する棒金トレイ１４３ａから数え直し処理を行うものとして説明するが、本実施形態においては、どの棒金トレイ１４３からどのような順序で数え直し処理を行うかは、任意に設定することができる。
【００７８】
まず、１円硬貨用棒金トレイ１４３ａにて、数え直し処理が開始され、ステップＳ１０１へ進む。処理が開始されると、例えば、制御部１５０は、図１０に示すように、操作表示部１３３にオペレータに対して処理中（棒金Ｐが出金中）であることを示す画面６０を表示させてもよい。図１０は、操作表示部１３３に表示される画面６０の具体例を示す説明図であり、オペレータに処理中であることを知らせるような画面が示されている。また、画面６０には、画面６０が表示された日時等を含んでいてもよい。なお、本実施形態においては、画面６０を表示させることに限定されるものではなく、画面６０の表示の代わりに、例えば、現金処理装置１に設けられたランプを点滅させてもよい。
【００７９】
（ステップＳ１０１）
まず、棒金トレイ１４３ａに設けられた計数センサ１５２からの出力に基づき、制御部１５０は、棒金トレイ１４３ａに棒金Ｐが存在するか否かを判断する。
【００８０】
ステップＳ１０１で、制御部１５０が棒金トレイ１４３ａに棒金Ｐが存在しないと判断した場合には、図８のステップＳ１５１へ進む。
【００８１】
（ステップＳ１０３）
ステップＳ１０１で、制御部１５０が棒金トレイ１４３ａに棒金Ｐが存在すると判断した場合には、棒金トレイ１４３ａに設けられた金種判別センサ１５４は、棒金トレイ１４３ａのロータリーシュータ（繰り出し部）１４４に収納された棒金Ｐから所定の数（例えば３本）の棒金Ｐに対して金種の判別を行う。さらに、制御部１５０は、金種判別センサ１５４からの出力に基づき、ロータリーシュータ１４４に収納された棒金Ｐの金種が、当該棒金Ｐが収納された棒金トレイ１４３ａに対応する正しい金種であるか否かを判別する（この例では、１円硬貨か否かを判別する）。
【００８２】
（ステップＳ１０５）
ステップＳ１０３で、制御部１５０がロータリーシュータ（繰り出し部）１４４に収納された棒金Ｐの金種が棒金トレイ１４３ａに対応する、棒金トレイ１４３ａに収納されるべき正しい金種である（この例では、１円硬貨である）と判別した場合には、制御部１５０は、制御部１５０のデータ格納用記憶装置の記録を参照して、既に棒金ホッパ１４５に繰り出された（排出された）他の棒金Ｐがあるか否かを判断する。
【００８３】
（ステップＳ１０７）
ステップＳ１０５で、制御部１５０が既に棒金ホッパ１４５に繰り出された（排出された）他の棒金Ｐがないと判断した場合には、制御部１５０は、棒金ホッパ１４５を上昇させ、棒金トレイ１４３ａの高さに位置させる（図５（ｂ）参照）。次いで、制御部１５０は、ロータリーシュータ（繰り出し部）１４４を制御して、正しい金種であると判別された棒金Ｐを棒金ホッパ１４５に繰り出す（排出する）。この際、制御部１５０は、ロータリーシュータ１４４によって繰り出した棒金Ｐの数及び当該棒金Ｐの金種の判別結果を制御部１５０のデータ格納用記憶装置に記録する。そして、棒金Ｐが繰り出されると、当該棒金Ｐに隣接した棒金Ｐが棒金トレイ１４３ａの傾斜により、ロータリーシュータ１４４に移動する。次いで、ステップＳ１０１に戻る。
【００８４】
（ステップＳ１０９）
ステップＳ１０５にて、制御部１５０が既に棒金ホッパ１４５に繰り出された（排出された）他の棒金Ｐがあると判断した場合には、制御部１５０は、制御部１５０のデータ格納用記憶装置の記録を参照して、既に棒金ホッパ１４５に繰り出された（排出された）他の棒金Ｐの金種が、他の棒金Ｐが収納されていた棒金トレイ１４３ａに対応する正しい金種であるか否かを判別する（この例では、１円硬貨か否かを判別する）。
【００８５】
（ステップＳ１１１）
ステップＳ１０９で、制御部１５０が、他の棒金Ｐの金種が、他の棒金Ｐが収納されていた棒金トレイ１４３ａに対応する正しい金種である（この例では、１円硬貨である）と判別した場合には、制御部１５０は、制御部１５０のデータ格納用記憶装置の記録を参照して、既に棒金ホッパ１４５に収納された棒金Ｐの数が、棒金ホッパ１４５に収納可能な数（この例においては、棒金ホッパ１４５に収納可能な棒金の数を１０本としている。なお、本実施形態では、棒金ホッパ１４５に収納可能な棒金の数は１０本に限定されない。）になっているか否かを判断する。
【００８６】
（ステップＳ１１３）
ステップＳ１１１で、制御部１５０が、既に棒金ホッパ１４５に収納された棒金Ｐの数が棒金ホッパ１４５に収納可能な数（例えば１０本）になっていると判断した場合には、制御部１５０は、棒金トレイ１４３ａのロータリーシュータ（繰り出し部）１４４に収納された棒金Ｐの棒金ホッパ１４５への繰り出し（排出）を一時停止させる。次いで、ステップＳ１１５へ進む。
【００８７】
（ステップＳ１１５）
制御部１５０は、棒金ホッパ１４５を棒金排出口１４２まで上昇させ、排出口シャッタ１４８を制御して、棒金排出口１４２を開放する（図５（ｃ）参照）。さらに、制御部１５０は、図１１に示すように、操作表示部１３３にオペレータに対して棒金排出口１４２の棒金Ｐの取り出しを誘導する操作誘導表示画面７０を表示させる。図１１は、操作表示部１３３に表示される操作誘導表示画面７０の具体例を示す説明図であり、一目で棒金Ｐの取り出し方が認識できるような画面となっている。また、操作誘導表示画面７０は、操作誘導表示画面７０が表示された日時等を含んでいてもよい。なお、操作誘導表示画面７０は、図１１に示される表示に限定されることはなく、例えば、操作者が、操作誘導表示画面７０により誘導される操作内容を確認したことを現金処理装置１に入力するための確認ボタンを含んでいてもよい。そして、オペレータにより、棒金排出口１４２の全ての棒金Ｐが取り出されると、棒金センサ１４６により棒金Ｐが検出されなくなくなる。この棒金センサ１４６の出力に基づき、制御部１５０は、排出口シャッタ１４８を制御して、棒金排出口１４２を閉鎖する。次いで、ステップＳ１１７へ進む。
【００８８】
（ステップＳ１１７）
操作誘導表示画面７０に従って、オペレータにより、棒金排出口１４２の棒金Ｐが取り出されると、制御部１５０は、取り出された棒金Ｐの数を制御部１５０のデータ格納用記憶装置に記録し、現金処理装置１内の１円硬貨の棒金Ｐの数を更新する。次いで、ステップＳ１０１に戻る。
【００８９】
（ステップＳ１１９）
ステップＳ１１１にて、制御部１５０が、既に棒金ホッパ１４５に収納された棒金Ｐの数が、棒金ホッパ１４５に収納可能な数（例えば１０本）になっていないと判断した場合には、制御部１５０は、棒金ホッパ１４５を上昇させ、棒金トレイ１４３ａの高さに位置させ、ロータリーシュータ（繰り出し部）１４４を制御して、ロータリーシュータ１４４に収納された棒金Ｐを棒金ホッパ１４５に繰り出す（排出する）（図５（ｂ）参照）。この際、制御部１５０は、ロータリーシュータ１４４によって繰り出した棒金Ｐの数及び当該棒金Ｐの金種の判別結果を制御部１５０のデータ格納用記憶装置に記録する。次いで、ステップＳ１０１に戻る。
【００９０】
（ステップＳ１２１）
ステップＳ１０９にて、制御部１５０が、既に棒金ホッパ１４５に繰り出された他の棒金Ｐの金種が、他の棒金Ｐが収納されていた棒金トレイ１４３ａに対応しない、棒金トレイ１４３ａに収納されるべきではない誤った金種である（この例では、１円硬貨ではない）と判別した場合には、制御部１５０は、棒金トレイ１４３ａのロータリーシュータ（繰り出し部）１４４に収納された棒金Ｐの棒金ホッパ１４５への繰り出し（排出）を一時停止させる。次いで、ステップＳ１２３へ進む。
【００９１】
（ステップＳ１２３）
制御部１５０は、棒金ホッパ１４５を棒金排出口１４２まで上昇させ、排出口シャッタ１４８を制御して、棒金排出口１４２を開放し、図１２に示すような、操作表示部１３３にオペレータに対して棒金排出口１４２の棒金Ｐの取り出しを誘導する操作誘導表示画面９０を表示させる。図１２は、操作表示部１３３に表示される操作誘導表示画面９０の具体例を示す説明図であり、オペレータに対して棒金排出口１４２の誤った金種の棒金Ｐの取り出しを誘導する画面の一例である。なお、操作誘導表示画面９０は、図１２に示される表示に限定されることはなく、例えば、操作者が、操作誘導表示画面９０により誘導される操作内容を確認したことを現金処理装置１に入力するための確認ボタンを含んでいてもよい。そして、操作誘導表示画面９０に従って、オペレータにより棒金Ｐは取り出され、次いで、ステップＳ１０１に戻る。なお、取り出された棒金Ｐは、一時保管され、後で、一時保管した当該棒金Ｐを当該棒金Ｐの金種にあった棒金トレイ１４３に収納してもよい。
【００９２】
次に、図７のフローチャートに示されるステップＳ１２５からステップＳ１４３を説明する。
【００９３】
（ステップＳ１２５）
図６のステップＳ１０３にて、制御部１５０が、棒金Ｐの金種が、棒金Ｐが収納されていた棒金トレイ１４３ａに対応しない、棒金トレイ１４３ａに収納されるべきではない誤った金種である（この例では、１円硬貨ではない）と判別した場合には、例えば、制御部１５０は、図１３に示すように、操作表示部１３３にオペレータに対して誤った金種の棒金Ｐを検知したことを知らせる画面８０を表示させてもよい。図１３は、操作表示部１３３に表示される画面８０の具体例を示す説明図であり、オペレータに対して誤った金種の棒金Ｐを検知したことを知らせる画面の例が示されている。また、画面８０は、画面８０が表示された日時や、画面の表示内容をオペレータが確認したことを検知する確認ボタン等を含んでもよい。そして、制御部１５０は、ステップＳ１０５と同様に、制御部１５０のデータ格納用記憶装置の記録を参照して、既に棒金ホッパ１４５に繰り出された（排出された）他の棒金Ｐがあるか否かを判断する。
【００９４】
（ステップＳ１２７）
ステップＳ１２５で、制御部１５０が、既に棒金ホッパ１４５に繰り出された（排出された）他の棒金Ｐがないと判断した場合には、制御部１５０は、棒金ホッパ１４５を上昇させ、棒金トレイ１４３ａの高さに位置させ、ロータリーシュータ（繰り出し部）１４４を制御して、誤った金種であると判別された棒金Ｐを棒金ホッパ１４５に繰り出す（排出する）（図５（ｂ）参照）。この際、制御部１５０は、ロータリーシュータ１４４によって繰り出した棒金Ｐの数及び当該棒金Ｐの金種の判別結果を制御部１５０のデータ格納用記憶装置に記録する。次いで、図６のステップＳ１０１に戻る。
【００９５】
（ステップＳ１２９）
ステップＳ１２５にて、既に棒金ホッパ１４５に繰り出された（排出された）他の棒金Ｐがあると判断した場合には、制御部１５０は、ステップＳ１０９と同様に、既に棒金ホッパ１４５に繰り出された（排出された）他の棒金Ｐの金種が、他の棒金Ｐが収納されていた棒金トレイ１４３ａに対応する正しい金種であるか否かを判別する（この例では、１円硬貨か否かを判別する）。
【００９６】
（ステップＳ１３１）
ステップＳ１２９で、制御部１５０が、他の棒金Ｐの金種が、他の棒金Ｐが収納されていた棒金トレイ１４３ａに対応する、棒金トレイ１４３ａに収納されるべき正しい金種であると判別した（この例では、１円硬貨である）場合には、制御部１５０は、ステップＳ１１３と同様に、棒金トレイ１４３ａのロータリーシュータ（繰り出し部）１４４に収納された棒金Ｐの棒金ホッパ１４５への繰り出し（排出）を一時停止させる。次いで、ステップＳ１３３へ進む。
【００９７】
（ステップＳ１３３）
制御部１５０は、ステップＳ１１５と同様に、棒金ホッパ１４５を棒金排出口１４２まで上昇させ、排出口シャッタ１４８を制御して、棒金排出口１４２を開放する（図５（ｃ）参照）。さらに、制御部１５０は、図１１に示すように、操作表示部１３３にオペレータに対して棒金排出口１４２の棒金Ｐの取り出しを誘導する操作誘導表示画面７０を表示させる。次いで、ステップＳ１３５へ進む。
【００９８】
（ステップＳ１３５）
ステップＳ１１７と同様に、操作誘導表示画面７０に従って、オペレータにより、棒金排出口１４２の棒金Ｐが取り出されると、制御部１５０は、取り出された棒金Ｐの数を制御部１５０のデータ格納用記憶装置に記録し、現金処理装置１内の１円硬貨の棒金Ｐの数を更新する。次いで、図６のステップＳ１０１に戻る。
【００９９】
（ステップＳ１３７）
ステップＳ１２９で、制御部１５０が、他の棒金Ｐの金種が、他の棒金Ｐが収納されていた棒金トレイ１４３ａに対応しない、棒金トレイ１４３ａに収納されるべきではない誤った金種である（この例では、１円硬貨ではない）と判別した場合には、制御部１５０は、ステップＳ１１１と同様に、既に棒金ホッパ１４５に収納された棒金Ｐの数が、棒金ホッパ１４５に収納可能な数（この例においては、棒金ホッパ１４５に収納可能な棒金の数を１０本としている。なお、本実施形態では、棒金ホッパ１４５に収納可能な棒金の数は１０本に限定されない。）になっているか否かを判断する。
【０１００】
（ステップＳ１３９）
ステップＳ１３７で、既に棒金ホッパ１４５に収納された棒金Ｐの数が、棒金ホッパ１４５に収納可能な数（例えば１０本）になっている場合には、制御部１５０は、ステップＳ１１３と同様に、棒金トレイ１４３ａのロータリーシュータ（繰り出し部）１４４に収納された棒金Ｐの棒金ホッパ１４５への繰り出し（排出）を一時停止させる。次いで、ステップＳ１４１へ進む。
【０１０１】
（ステップＳ１４１）
制御部１５０は、ステップＳ１２３と同様に、棒金ホッパ１４５を棒金排出口１４２まで上昇させ、棒金排出口１４２を開放する。さらに、制御部１５０は、図１２に示すように、操作表示部１３３にオペレータに対して棒金排出口１４２の誤った金種の棒金Ｐの取り出しを誘導する操作誘導表示画面９０を表示させる。そして、操作誘導表示画面９０に従って、オペレータにより棒金Ｐは取り出され、次いで、図６のステップＳ１０１に戻る。なお、取り出された棒金Ｐは、一時保管され、後で、一時保管した当該棒金Ｐを当該棒金Ｐの金種に対応する棒金トレイ１４３に収納してもよい。
【０１０２】
（ステップＳ１４３）
ステップＳ１３７にて、既に棒金ホッパ１４５に収納された棒金Ｐの数が、棒金ホッパ１４５に収納可能な数（例えば１０本）になっていない場合には、制御部１５０は、ステップＳ１１９と同様に、ロータリーシュータ（繰り出し部）１４４に収納された棒金Ｐを棒金ホッパ１４５に繰り出す（排出する）。次いで、図６のステップＳ１０１に戻る。
【０１０３】
次に、図８のフローチャートに示されるステップＳ１５１からステップＳ１６５を説明する。
【０１０４】
（ステップＳ１５１）
図６のステップＳ１０１で、制御部１５０が、棒金トレイ１４３ａに棒金Ｐが存在しないと判断した場合には、制御部１５０は、ステップＳ１１５と同様に、棒金排出口１４２を開放する。そして、制御部１５０は、制御部１５０のデータ格納用記憶装置の記録を参照して、既に棒金ホッパ１４５に繰り出された（排出された）棒金Ｐの金種が、他の棒金Ｐが収納されていた棒金トレイ１４３ａに対応する正しい金種であるか否かを判別し（この例では、１円硬貨か否かを判別する）、その判別結果に応じて、図１１又は図１２に示すように、操作表示部１３３にオペレータに対して棒金排出口１４２の棒金Ｐの取り出しを誘導する操作誘導表示画面７０又は９０を表示させる。次いで、ステップＳ１５３へ進む。
【０１０５】
（ステップＳ１５３）
操作誘導表示画面７０又は９０に従って、オペレータにより、棒金排出口１４２の棒金Ｐが取り出されると、制御部１５０は、ステップＳ１１７と同様に、取り出された棒金Ｐの数を制御部１５０のデータ格納用記憶装置に記録し、現金処理装置１内の１円硬貨の棒金Ｐの数を更新する。次いで、ステップＳ１５５へ進む。
【０１０６】
（ステップＳ１５５）
制御部１５０は、図１４に示すように、操作表示部１３３に、オペレータに対して、排出され、取り出された棒金Ｐを棒金トレイ１４３ａに再度充填するように誘導する操作誘導表示画面１００を表示し、扉１５８の施錠を解除する。図１４は、操作表示部１３３に表示される操作誘導表示画面１００の具体例を示す説明図であり、オペレータに対して、取り出された棒金Ｐを棒金トレイ１４３ａに再度充填するように誘導する操作誘導表示画面の一例である。そして、オペレータは、操作誘導表示画面１００に従って、扉１５８を開き、オペレータが取り出した棒金Ｐを棒金トレイ１４３ａに補充する。この際、当該棒金トレイ１４３ａに対応する金種の棒金Ｐであると判別された棒金Ｐのみを充填する。次いで、ステップＳ１５７へ進む。
【０１０７】
（ステップＳ１５７）
制御部１５０は、ステップＳ１５５から一定時間経過後に、扉１５８の開閉センサ（図示省略）の出力により、扉１５８の再閉鎖があったかどうかを判断する。
【０１０８】
（ステップＳ１５９）
ステップＳ１５７で、扉１５８の開閉センサ（図示省略）の出力に基づき、扉１５８の再閉鎖を検出した場合には、制御部１５０は、扉１５８を施錠する。次いで、ステップＳ１６１へ進む。一方、ステップＳ１５７で、扉１５８の再閉鎖を検出しない場合には、ステップＳ１５５へ戻る。
【０１０９】
（ステップＳ１６１）
制御部１５０は、棒金トレイ１４３ａに設けられた計数センサ１５２からの出力に基づき、制御部１５０は、棒金トレイ１４３ａに棒金Ｐが存在するか否かを判断する。このステップで、制御部１５０が棒金トレイ１４３ａに棒金Ｐが存在しないと判断した場合には、ステップＳ１５５へ戻る。
【０１１０】
（ステップＳ１６３)
ステップＳ１６１で、棒金トレイ１４３ａに棒金Ｐが存在すると判断した場合には、計数センサ１５２を用いて、棒金トレイ１４３ａに収納された棒金Ｐに対して計数を行う。次いで、ステップＳ１６５へ進む。
【０１１１】
（ステップＳ１６５）
制御部１５０は、計数された棒金Ｐの数を制御部１５０のデータ格納用記憶装置に記録し、現金処理装置１内の１円硬貨の棒金Ｐの数を更新する。次いで、図９のステップＳ１８１へ進む。
【０１１２】
次に、図９のフローチャートに示されるステップＳ１８１からステップＳ１８５を説明する。
【０１１３】
（ステップＳ１８１）
制御部１５０は、制御部１５０のデータ格納用記憶装置の記録を参照して、すべての棒金トレイ１４３ａ〜ｆに対して処理が行われたか否かを判断する。
【０１１４】
（ステップＳ１８３）
ステップＳ１８１において、制御部１５０がすべての棒金トレイ１４３ａ〜ｆに対して処理が行われていないと判断した場合には、処理対象を他の棒金トレイ１４３に切り替えて、図６のステップＳ１０１へ戻る。そして、ステップＳ１０１では、他の棒金トレイ１４３に対して数え直し処理が開始される。また、すべての棒金トレイ１４３ａ〜ｆに対して処理が終了するまで、以上説明したステップＳ１０１からステップＳ１８３を繰り返す。
【０１１５】
（ステップＳ１８５）
ステップＳ１８１で、制御部１５０が、すべての棒金トレイ１４３ａ〜ｆに対して処理が行われていると判断した場合には、データ格納用記憶装置に記録された棒金Ｐの計数結果を印字し、処理を終了する。
【０１１６】
従来の現金処理装置においては、棒金支払部に対して数え直し処理を行うことはなく、すなわち、棒金Ｐを棒金トレイに充填した際には、充填した棒金Ｐの金種を判別することなく、棒金トレイに収納された棒金Ｐの数を計数するだけであった。したがって、従来の現金処理装置においては、誤った金種の棒金Ｐが棒金トレイに充填された際には、誤った金種の棒金Ｐの充填を是正することはできない。そのため、棒金Ｐの出金の際には、所望の金種とは異なる金種の棒金Ｐが出金される場合がある。
【０１１７】
また、従来の現金処理装置においては、棒金Ｐの出金時に出金しようとする棒金Ｐに対して金種の判別を行っていた。しかしながら、棒金Ｐの出金時に誤った金種の棒金Ｐが発見されると、出金処理におけるエラーとなるため、処理エラーを解消させ、さらに棒金Ｐの充填を是正するには、多くの時間と手間がかかることとなる。
【０１１８】
さらに、従来の現金処理装置においては、棒金Ｐの出金を行わない限りは、誤った金種の棒金Ｐが充填されたままであるため、棒金トレイ内の棒金Ｐの有高は、誤ったまま記録されることとなる。よって、オペレータが誤りに気がつくまでは、正しい有高を得ることができない。例えば、１００円硬貨用の棒金トレイに、５０円硬貨の棒金Ｐが１つ充填されていた場合には、当該棒金トレイに収納された棒金Ｐの数として記録される数には、５０円硬貨の棒金Ｐの本数が含まれることになる。したがって、現金処理装置内の１００円硬貨の棒金Ｐの有高としては、１つ多く記録され、正しい１００円硬貨の棒金Ｐの有高を得ることができない。
【０１１９】
しかしながら、本実施形態の現金処理装置１においては、オペレータによって棒金Ｐが充填された際等に、オペレータが棒金支払部１４０の数え直しの実施を指示することにより、金種判別センサ１５４により棒金トレイ１４３に収納された棒金Ｐの金種を判別し、判別結果に基づいて、当該棒金トレイ１４３に対応する正しい金種の棒金Ｐと、当該棒金トレイ１４３に対応しない誤った金種の棒金Ｐとを、オペレータが区別することができるように、棒金Ｐを外部に排出する。さらに具体的には、本実施形態の現金処理装置１は、当該棒金トレイ１４３に対応する正しい金種の棒金Ｐと、当該棒金トレイ１４３に対応しない誤った金種の棒金Ｐとを、分けて排出する。このため、本実施形態によれば、棒金トレイ１４３における棒金Ｐの誤収納をオペレータに認識させることができる。
【０１２０】
さらに、本実施形態の現金処理装置１によれば、オペレータを正しい金種の棒金Ｐを当該棒金トレイ１４３に再度充填させるように誘導することにより、誤った金種の棒金Ｐの充填を是正し、棒金Ｐを金種ごとに対応する棒金トレイ１４３に正しく充填することができる。このため、本実施形態の現金処理装置１によれば、棒金Ｐの出金の際には、所望の金種とは異なる金種の棒金Ｐが出金されることがなく、よって、所望の金種とは異なる金種の棒金Ｐが出金されることによる処理エラーの発生を避けることができる。加えて、本実施形態の現金処理装置１によれば、棒金Ｐを金種ごとに対応する棒金トレイ１４３に正しく充填することができることから、棒金Ｐの正しい有高を得ることができる。
【０１２１】
また、本実施形態によれば、現金処理装置１の構成を変更することなしに、棒金トレイ１４３における棒金Ｐの誤収納をオペレータに認識させることができる。
【０１２２】
（変形例１）
これまで説明した実施形態においては、棒金支払部１４０に設置された棒金トレイ１４３ごとに、図６から図９に示すステップＳ１０１からステップＳ１８３からなるフローを行っていた。しかしながら、同一金種に対応する棒金トレイ１４３が複数設置されている場合には、金種ごとに、数え直し処理を行うこともできる。以下に、金種ごとに数え直し処理を行う変形例について説明する。この変形例においては、例えば、ロータリーシュータ（繰り出し部）１４４に収納された棒金Ｐの金種が棒金トレイ１４３ａに対応しない誤った金種であると判別され（例えば１円硬貨ではないと判別される）、且つ、既に棒金ホッパ１４５に繰り出された（排出された）他の棒金Ｐが、他の棒金Ｐの金種が収納されていた棒金トレイ１４３ａに対応する正しい金種であると判別された（例えば１円硬貨であると判別された）場合には、ロータリーシュータ１４４に収納された棒金Ｐの繰り出しを停止し、これまで数え直し処理を行っていた棒金トレイ１４３ａと同一の金種（例えば１円硬貨）に対応する棒金トレイ１４３に対する処理に切り替える。このようにすることで、棒金ホッパ１４５が同一金種の棒金トレイ１４３の間を移動する回数が増えるものの、棒金ホッパ１４５が棒金トレイ１４３から棒金排出口１４２までを往復する回数を減らすことができるため、数え直し処理にかかる処理時間を短くすることができる。さらに、オペレータが棒金排出口１４２から棒金Ｐを取り出す回数も減らすことができるため、数え直し処理の時間をより短くすることができる。
【０１２３】
図１５から図１９を参照して、本変形例を説明する。図１５から図１９は、本変形例による棒金支払部１４０の数え直し処理の一例を示すフローチャートである。これらのフローチャートは、互いにつながっており、一連の数え直し処理のフローチャートを構成する。これらのフローチャートを参照して、本変形例を説明する。なお、本変形例において、第１の実施形態と共通するステップについては、説明を省略する。
【０１２４】
まず、図１５のフローチャートに示されるステップＳ１０１からステップＳ１２１を説明する。なお、図１５のフローチャートに示されるステップＳ１０１からステップＳ１１９までは、第１の実施形態の図６のステップＳ１０１からステップＳ１１９までと共通する。そのため、ここでは、図１５のフローの最初のステップ（Ｓ１０１）と、第１の実施形態とは共通しない最後のステップ（Ｓ１２１）のみを説明し、残りのステップについては説明を省略する。
【０１２５】
（ステップＳ１０１）
オペレータにより、棒金Ｐが現金処理装置１の棒金トレイ１４３に補充され、操作表示部１３３に表示されるメニュー画面４０の「０５：数え直し」ボタンに対して操作がなされる（図２参照）と、制御部１５０は、操作表示部１３３にサブメニュー画面５０(図３参照)を表示させる。オペレータが、サブメニュー画面５０の「５３：棒金支払部」ボタンを選択した場合には、現金処理装置１は、棒金支払部１４０の数え直し処理を開始する。以下の説明においては、１円硬貨から数え直し処理を行うものとして説明するが、本実施形態においては、どの金種からどのような順序で数え直し処理を行うかは、任意に設定することができる。まず、１円硬貨用棒金トレイ１４３ａにて、数え直し処理が開示され、棒金トレイ１４３ａに設けられた計数センサ１５２からの出力に基づき、制御部１５０は、棒金トレイ１４３ａに棒金Ｐが存在するか否かを判断する。ステップＳ１０１で、制御部１５０が棒金トレイ１４３ａに棒金Ｐが存在しないと判断した場合には、図１７のステップＳ１４５へ進む。
【０１２６】
（ステップＳ１２１）
ステップＳ１０９にて、制御部１５０が、既に棒金ホッパ１４５に繰り出された（排出された）他の棒金Ｐの金種が、他の棒金Ｐが収納されていた棒金トレイ１４３ａに対応しない誤った金種である（この例では、１円硬貨でない）と判別した場合には、制御部１５０は、棒金トレイ１４３ａのロータリーシュータ（繰り出し部）１４４に収納された棒金Ｐの棒金ホッパ１４５への繰り出し（排出）を一時停止させる。次いで、図１７のステップＳ１４５へ進む。
【０１２７】
次に、図１６のフローチャートに示されるステップＳ１２５からステップＳ１４３を説明する。なお、図１６のフローチャートに示されるステップＳ１２５からステップＳ１２９までとステップＳ１３７からステップＳ１４３までとは、第１の実施形態の図７のステップＳ１２５からステップＳ１２９までとステップＳ１３７からステップＳ１４３と共通する。そのため、ここでは、第１の実施形態とは共通しないステップ（Ｓ１３１）のみを説明し、残りのステップについては説明を省略する。
【０１２８】
（ステップＳ１３１）
ステップＳ１２９で、制御部１５０が、他の棒金Ｐの金種が、他の棒金Ｐが収納されていた棒金トレイ１４３ａに対応する正しい金種であると判別した（この例では、１円硬貨である）場合には、制御部１５０は、ステップＳ１１３と同様に、棒金トレイ１４３ａのロータリーシュータ（繰り出し部）１４４に収納された棒金Ｐの棒金ホッパ１４５への繰り出し（排出）を一時停止させる。次いで、次いで、図１７のステップＳ１４５へ進む。
【０１２９】
次に、図１７のフローチャートに示されるステップＳ１４５からステップＳ１４７を説明する。
【０１３０】
（ステップＳ１４５）
ステップＳ１０１で、棒金トレイ１４３ａに棒金Ｐが存在しないと判断した場合と、ステップＳ１２１及びステップＳ１３１でロータリーシュータ（繰り出し部）１４４に収納された棒金Ｐの棒金ホッパ１４５への繰り出し（排出）を一時停止した場合には、制御部１５０は、同一金種の他の棒金トレイ１４３（この例では、１円硬貨用の他の棒金トレイ１４３）に設けられた計数センサ１５２からの出力に基づき、同一金種の他の棒金トレイ１４３に棒金Ｐが存在するか否かを判断する。
【０１３１】
（ステップＳ１４７）
ステップＳ１４５で、制御部１５０が同一金種の他の棒金トレイ１４３に棒金Ｐが存在すると判断した場合には、処理の対象を、同一金種の他の棒金トレイ１４３に切り替える。次いで、図１５のステップＳ１０１へ戻る。
【０１３２】
ステップＳ１４５で、制御部１５０が、同一金種の他の棒金トレイ１４３に棒金Ｐが存在しないと判断した場合には、図１８のステップＳ１５１へ進む。
【０１３３】
次に、図１８のフローチャートに示されるステップＳ１５１からステップＳ１６５を説明する。なお、図１８のステップＳ１５１からステップＳ１６５は、第１の実施形態の図８のステップＳ１５１からステップＳ１６５までと共通するため、ここでは最初のステップ（Ｓ１５１）と最後のステップ（Ｓ１６５）のみを説明して、残りのステップについては説明を省略する。
【０１３４】
（ステップＳ１５１）
図１７のステップＳ１４５で、制御部１５０が、同一金種の他の棒金トレイ１４３に棒金Ｐが存在しないと判断した場合には、制御部１５０は、棒金排出口１４２を開放する。そして、制御部１５０は、制御部１５０のデータ格納用記憶装置の記録を参照して、既に棒金ホッパ１４５に繰り出された（排出された）棒金Ｐの金種が、他の棒金Ｐが収納されていた正しい金種であるか否かを判別し（この例では、１円硬貨か否かを判別する）、その判別結果に応じて、図１１又は図１２に示すように、操作表示部１３３にオペレータに対して棒金排出口１４２の棒金Ｐの取り出しを誘導する操作誘導表示画面７０又は９０を表示させる。次いで、ステップＳ１５３へ進む。
【０１３５】
（ステップＳ１６５）
制御部１５０は、計数された棒金Ｐの数を制御部１５０のデータ格納用記憶装置に記録し、現金処理装置１内の１円硬貨の棒金Ｐの数を更新する。次いで、図１９のステップＳ１９１へ進む。
【０１３６】
次に、図１９のフローチャートに示されるステップＳ１９１からステップＳ１９５を説明する。
【０１３７】
（ステップＳ１９１）
制御部１５０は、制御部１５０のデータ格納用記憶装置の記録を参照して、すべての金種に対して処理が行われたか否かを判断する。
【０１３８】
（ステップＳ１９３）
ステップＳ１９１において、制御部１５０がすべての金種に対して処理が行われていないと判断した場合には、処理対象を他の金種に切り替えて、図１５のステップＳ１０１へ戻る。ステップＳ１０１では、他の金種に対して数え直し処理が開始される。また、すべての金種に対して処理が終了するまで、図１５〜図１９のステップＳ１０１からステップＳ１９３を繰り返す。
【０１３９】
（ステップＳ１９５）
ステップＳ１９１で、制御部１５０が、すべての金種に対して処理が行われていると判断した場合には、データ格納用記憶装置に記録された棒金Ｐの計数結果を印字し、処理を終了する。
【０１４０】
本変形例によれば、棒金トレイ１４３における棒金Ｐの誤収納をオペレータに認識させることができる。さらに、オペレータを正しい金種の棒金Ｐを当該棒金トレイ１４３に再度充填させるように誘導することにより、誤った金種の棒金Ｐの充填を是正し、棒金Ｐを金種ごとに対応する棒金トレイ１４３に正しく充填することができる。並びに、本変形例によれば、棒金ホッパ１４５が同一金種の棒金トレイ１４３の間を移動する回数が増えるものの、棒金ホッパ１４５が棒金トレイ１４３から棒金排出口１４２までを往復する回数を減らすことができるため、数え直し処理にかかる処理時間を短くすることができる。さらに、オペレータが棒金排出口１４２から棒金Ｐを取り出す回数も減らすことができるため、数え直し処理の時間をより短くすることができる。
【０１４１】
（変形例２）
これまで説明した第１の実施形態においては、棒金トレイ１４３に対応する正しい金種の棒金Ｐと、棒金トレイ１４３に対応しない誤った金種の棒金Ｐとを、オペレータが区別できるように、タイミングをずらしてそれぞれを棒金支払部１４０の外部に排出していた。しかしながら、本実施形態においては、このような形態に限定するものではなく、棒金トレイ１４３に対応する正しい金種の棒金Ｐと、棒金トレイ１４３に対応しない誤った金種の棒金Ｐとを、オペレータが区別できるように、それぞれを分けて棒金支払部１４０の外部に排出するものであれば、特に限定されるものではない。
【０１４２】
そこで、以下に、変形例として、棒金トレイ１４３に対応する正しい金種の棒金Ｐと、棒金トレイ１４３に対応しない誤った金種の棒金Ｐとをオペレータが区別できるように分けて排出する他の形態について説明する。この変形例においては、棒金ホッパ１４５の構成を変更する。詳細には、上述の第１の実施形態においては、棒金ホッパ１４５の棒金Ｐを受け入れる空間は１つであったが、以下に説明する変形例においては、棒金ホッパ１４５の棒金Ｐを受け入れる空間を２つに区画する。このようにすることで、正しい金種の棒金Ｐと誤った金種の棒金Ｐとを分けて排出して、これらを区別することを可能にしつつ、両者を一度に棒金ホッパ１４５に収納することができるため、棒金ホッパ１４５が棒金トレイ１４３と棒金排出口１４２とを往復する回数を減らすことができ、処理時間を短くすることができる。
【０１４３】
以下に、図２０を参照して、本変形例を説明する。図２０（ａ）〜（ｂ）は、本変形例による棒金ホッパ１４５の構成を示す説明図であり、詳細には、変形例に係る棒金ホッパ１４５の断面を示す。図２０（ａ）に示すように、本変形例による棒金ホッパ１４５は、仕切り板１５６ｃと、第１の区画１４５ａと、第２の区画１４５ｂと、振り分け部１５６とを有する。
【０１４４】
具体的には、本変形例においては、図２０（ａ）に示すように、棒金ホッパ１４５の棒金Ｐを受け入れる空間は、仕切り板１５６ｃによって２つの区画に分けられる。例えば、棒金トレイ１４３側の空間を第１の区画１４５ａとして、棒金トレイ１４３に対応する、棒金トレイ１４３に収納されるべき正しい金種の棒金Ｐを受け入れる区画とし、棒金トレイ１４３とは遠い側の空間を第２の区画１４５ｂとして、棒金トレイ１４３に対応しない、棒金トレイ１４３に収納されるべきではない誤った金種の棒金Ｐを受け入れる区画とする。さらに、第１の区画１４５ａの底面は、棒金トレイ１４３に近づくほど低くなるように傾斜している。このため、第１の区画１４５ａに繰り出された（排出された）棒金Ｐは、理想的には、第１の区画１４５ａの底面を転がることにより、第１の区画１４５ａの棒金トレイ１４３に近い側の壁面に当接する。なお、２本目以降に繰り出される棒金Ｐは、同様に第１の区画１４５ａの底面を転がり、直近に繰り出された（排出された）棒金Ｐに当接した状態で静止することができる。また、第２の区画１４５ｂの底面は、棒金トレイ１４３から遠ざかるほど低くなるように傾斜している。このため、第２の区画１４５ｂに繰り出された（排出された）棒金Ｐは、理想的には、第２の区画１４５ｂの底面を転がることにより、第２の区画１４５ｂの棒金トレイ１４３から遠い側の壁面に当接する。なお、２本目以降に繰り出される棒金Ｐは、同様に第２の区画１４５ｂの底面を転がり、直近に繰り出された棒金Ｐに当接した状態で静止することができる。
【０１４５】
また、棒金ホッパ１４５の第１の区画１４５ａの棒金トレイ１４３に近い側の壁面側と、第２の区画１４５ｂの棒金トレイ１４３から遠い側の壁面側には、それぞれ、第１の区画１４５ａ及び第２の区画１４５ｂ内の棒金Ｐの有無を検出するための棒金センサ１４６が設けられる。したがって、制御部１５０は、棒金センサ１４６からの出力に基づき、第１の区画１４５ａ及び第２の区画１４５ｂ内に棒金Ｐが存在するか否かを判断することが可能である。
【０１４６】
仕切り板１５６ｃの上端には、棒金Ｐを第１の区画１４５ａと第２の区画１４５ｂとに振り分ける振り分け部１５６が設けられている。振り分け部１５６は、仕切り板１５６ｃの上端に設けられた回転軸１５６ｂと、一方の端部が回転軸１５６ｂと接続され、回転軸１５６ｂを中心にして回転することが可能な板１５６ａとを有する。この回転軸１５６ｂは、金種判別センサ１５４により得られた判別結果に基づいて、制御部１５０の制御により、回転することができる。さらに、振り分け部１５６の動作について説明する。
【０１４７】
制御部１５０が、金種判別センサ１５４の出力を参照して、ロータリーシュータ（繰り出し部）１４４から繰り出されようとしている棒金Ｐの金種が、棒金トレイ１４３に対応しない誤った金種であると判別された場合には、制御部１５０は、図２０（ａ）に示すように、回転軸１５６ｂを回転させ、振り分け部１５６の板１５６ａが第１の区画１４５ａに蓋をするように、板１５６ａを回転させる。板１５６ａが第１の区画１４５ａに蓋をするような状態にある場合、板１５６ａの上面は、棒金トレイ１４３に近づくほど高くなるように傾斜している。そのため、当該棒金Ｐがロータリーシュータ１４４によって棒金ホッパ１４５に繰り出された（排出された）場合、棒金Ｐは、板１５６ａの上面上を転がり、第２の区画１４５ｂに収納される。
【０１４８】
一方、制御部１５０が、金種判別センサ１５４の出力を参照して、ロータリーシュータ（繰り出し部）１４４から繰り出されようとしている棒金Ｐの金種が、棒金トレイ１４３に対応する正しい金種であると判別された場合には、制御部１５０は、図２０（ｂ）に示すように、回転軸１５６ｂを回転させ、振り分け部１５６の板１５６ａが第２の区画１４５ｂに蓋をするように、板１５６ａを回転させる。板１５６ａで第２の区画１４５ｂに蓋がされているため、当該棒金Ｐがロータリーシュータ１４４によって棒金ホッパ１４５に繰り出された（排出された）場合、棒金Ｐは、第２の区画１４５ｂに入ることはなく、第１の区画１４５ａに収納される。
【０１４９】
このように、本変形例によれば、棒金トレイ１４３に対応する正しい金種の棒金Ｐと、棒金トレイ１４３に対応しない誤った金種の棒金Ｐとをオペレータが区別できるように分けて排出することができる。さらに、正しい金種の棒金Ｐと誤った金種の棒金Ｐとが区分しつつ、両者を一度に棒金ホッパ１４５に収納することができるため、棒金ホッパ１４５が棒金トレイ１４３と棒金排出口１４２とを往復する回数を減らすことができ、処理時間を短くすることができる。また、本変形例によれば、棒金ホッパ１４５の形態のみを変更するだけで、正しい金種の棒金Ｐと誤った金種の棒金Ｐとが区分しつつ、両者を一度に棒金ホッパ１４５に収納することが可能である。
【０１５０】
なお、第１及び第２の区画１４５ａ、１４５ｂが受け入れる棒金Ｐについては、上述の態様に限定されるものではなく、入れ替えてもよい。また、振り分け部１５６の形状は、図２０（ａ）〜（ｂ）のような板状に限定されるものではなく、他の形状であってもよい。
【０１５１】
また、先にも説明したが、本実施形態においては、棒金トレイ１４３に対応する正しい金種の棒金Ｐと、棒金トレイ１４３に対応しない誤った金種の棒金Ｐとをオペレータが区別できるように排出することができれば、特にその形態を限定するものではなく、例えば、棒金ホッパ１４５が入り込む空間が、棒金トレイ１４３の下及び棒金トレイ１４３間に確保できる場合には、上述の変形例のように棒金ホッパ１４５の棒金Ｐを受け入れる空間を、仕切り板１５６ｃによって２つの区画に分けておき、棒金ホッパ１４５を現金処理装置１における横方向にスライドさせる機構を設けることにより、ロータリーシュータ（繰り出し部）１４４から繰り出される棒金Ｐを２つの区画に振り分けてもよい。この場合、棒金ホッパ１４５には、上述の変形例のような振り分け部１５６を設けなくてもよい。
【０１５２】
さらに、他の変形例としては、棒金排出口１４２を、正しい金種の棒金Ｐを排出するための棒金排出口１４２と、誤った金種の棒金排出口１４２との２つにすることも考えられる。このようにすることで、棒金Ｐの金種に対応する棒金排出口１４２から棒金Ｐを排出させることができ、棒金トレイ１４３に対応する正しい金種の棒金Ｐと、棒金トレイ１４３に対応しない誤った金種の棒金Ｐとをオペレータが区別することが可能となる。
【０１５３】
（第２の実施形態）
第１の実施形態においては、棒金トレイ１４３に対応する正しい金種の棒金Ｐと、棒金トレイ１４３に対応しない誤った金種の棒金Ｐとを、オペレータがそれぞれを区別できるように、棒金支払部１４０の外部に排出し、オペレータに対して、排出された棒金Ｐを、棒金Ｐの金種に対応する棒金トレイ１４３の正しく再充填することを促していた。しかしながら、この再充填においても、オペレータにより誤った金種の棒金Ｐが棒金トレイ１４３に充填されることがある。そこで、第２の実施形態においては、再充填によって誤った金種の棒金Ｐの収納があった場合には、誤収納をオペレータに認識させ、オペレータに対して、再度、棒金Ｐを金種ごとに対応する棒金トレイ１４３に正しく充填することを誘導することができるようにした。以下に、図２１から図２３を参照して、第２の実施形態を説明する。
【０１５４】
第２の実施形態では、先に説明した第１の実施形態の図６から図８に示されるステップＳ１０１からステップＳ１６５を行う。そして、図８のステップＳ１６５以降は、図２１のフローチャートで示されるステップＳ１７１からステップＳ１８５を行う。図２１は、第２の実施形態による棒金支払部１４０の数え直し処理の一例を示すフローチャートであり、第１の実施形態の図８のフローチャートのステップＳ１６５から続いている。そのため、ここでは、図６から図８に示されるステップＳ１０１からステップＳ１６３については、説明を省略し、図８のステップＳ１６３から、図２１のステップＳ１７１からステップＳ１８５を説明する。
【０１５５】
（ステップＳ１６５）
制御部１５０は、計数された棒金Ｐの数を制御部１５０のデータ格納用記憶装置に記録し、現金処理装置１内の１円硬貨の棒金Ｐの数を更新する。次いで、図２１のステップＳ１７１へ進む。
【０１５６】
（ステップＳ１７１）
データ格納用記憶装置に記録された棒金Ｐの計数結果を印字し、次いで、ステップＳ１７３へ進む。
【０１５７】
（ステップＳ１７３）
制御部１５０は、図２２に示すように、操作表示部１３３に、オペレータに対して、充填した棒金Ｐの数を入力するように誘導する操作誘導表示画面１１０を表示する。図２２は、操作表示部１３３に表示される操作誘導表示画面１１０の具体例を示す説明図である。操作誘導表示画面１１０には、各金種の棒金支払部１４０内の棒金の本数が装置内有高として表示され、さらに、金種ごとに充填した棒金Ｐの数を入力するための欄が設けられている。オペレータは、充填した棒金Ｐの数を入力するため、該当する金種の入力欄を選択して、例えば、右側の矢印ボタンを操作することにより、ステップＳ１７１での印字を参照しながら、ステップＳ１５５（図８参照）の後でオペレータが充填した棒金Ｐの本数を金種ごとに入力する。次いで、ステップＳ１７５へ進む。なお、操作誘導表示画面１１０には、操作誘導表示画面１１０が表示された日時等を含んでいてもよい。
【０１５８】
（ステップＳ１７５）
制御部１５０は、オペレータより充填した棒金Ｐの数についての入力があったかどうかを判断する。制御部１５０が、入力があったと判断した場合には、ステップＳ１７７へ進む。制御部１５０が、入力がないと判断した場合には、ステップＳ１７３へ戻る。
【０１５９】
（ステップＳ１７７）
制御部１５０は、ステップＳ１６５（図８参照）での計数結果から導出した、棒金支払部１４０外部へ排出した棒金Ｐの金種ごとの数と、オペレータが入力した数値とを比較し、互いに一致するかを判断する。制御部１５０が一致していると判断した場合には、ステップＳ１８１へ進む。このステップＳ１８１は、第１の実施形態の図９のステップＳ１８１と同じであり、ステップＳ１８１以降はステップＳ１８３、ステップＳ１８５と進むが、これらのステップも、第１の実施形態の図９のステップＳ１８３、ステップＳ１８５と同様であるため、ここでは説明を省略する。
【０１６０】
（ステップＳ１７９）
ステップＳ１７７で一致していないと判断した場合には、制御部１５０は、図２３に示すように、操作表示部１３３に、オペレータに対して、誤った金種の棒金Ｐが充填された可能性があることを知らせる画面１２０を表示する。図２３は、操作表示部１３３に表示される画面１２０の具体例を示す説明図であり、オペレータに対して、誤った金種の棒金Ｐが充填された可能性があることを知らせる画面の一例である。なお、画面６０は、画面６０が表示された日時等を含んでいてもよい。この場合、オペレータは、再度、現金処理装置１に対して数え直し処理を指示する。すなわち、もう一度、第１の実施形態の図６のステップＳ１０１に戻り、棒金支払部１４０の棒金トレイ１４３に収納された棒金Ｐに対して、数え直し処理を開始する。そして、現金処理装置１は、もう一度、棒金トレイ１４３に収納された棒金Ｐの金種の判別を行い、その判別結果に基づき、棒金トレイ１４３に対応する正しい金種の棒金Ｐと、棒金トレイ１４３に対応しない誤った金種の棒金Ｐとを、オペレータがそれぞれを区別できるように、棒金支払部１４０の外部に排出する。さらに、オペレータに対して、排出された棒金Ｐを、棒金Ｐの金種に対応する棒金トレイ１４３の正しく再充填することを促す。
【０１６１】
このように、本実施形態の現金処理装置１においては、オペレータによって棒金Ｐが再充填された際に、オペレータに対して再充填した棒金Ｐの数を入力させ、現金処理装置１の計数結果と入力した数値とを比較し、当該比較から誤った金種の棒金Ｐが棒金トレイ１４３に充填された恐れがある場合には、誤った充填をオペレータに認識させることができる。したがって、この認識に基づき、誤った金種の棒金Ｐの充填を是正し、棒金Ｐを金種ごとに対応する棒金トレイ１４３に正しく充填する機会をオペレータに与えることができる。このため、本実施形態の現金処理装置１によれば、棒金Ｐの出金の際には、所望の金種とは異なる金種の棒金Ｐが出金されることがなく、よって、所望の金種とは異なる金種の棒金Ｐが出金されることによる処理エラーの発生を避けることができる。さらに、本実施形態の現金処理装置１によれば、棒金Ｐを金種ごとに対応する棒金トレイ１４３に正しく充填することができることから、棒金Ｐの正しい有高を得ることができる。
【０１６２】
加えて、本実施形態によれば、現金処理装置１の機械的構成を変更することなしに、棒金トレイ１４３における棒金Ｐの誤収納をオペレータに認識させることができる。
【０１６３】
＜５．むすび＞
以上説明したように、本発明の第１及び第２実施形態によれば、棒金トレイ１４３における棒金Ｐの誤収納をオペレータに認識させることができる。さらに、本発明の第１及び第２実施形態によれば、オペレータを正しい金種の棒金Ｐを当該棒金トレイ１４３に再度充填させるように誘導することにより、誤った金種の棒金Ｐの充填を是正し、棒金Ｐを金種ごとに対応する棒金トレイ１４３に正しく充填することができる。このため、本発明の第１及び第２実施形態の現金処理装置１においては、棒金Ｐの出金の際には、所望の金種とは異なる金種の棒金Ｐが出金されることがなく、よって、所望の金種とは異なる金種の棒金Ｐが出金されることによる処理エラーの発生を避けることができる。さらに、本発明の第１及び第２実施形態によれば、棒金Ｐを金種ごとに対応する棒金トレイ１４３に正しく充填することができることから、棒金Ｐの正しい有高を得ることができる。加えて、これらの実施形態によれば、現金処理装置１の機械的構成を変更することなしに、棒金トレイ１４３における棒金Ｐの誤収納をオペレータに認識させることができる。
【０１６４】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【０１６５】
また、上述した各実施形態の処理における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【０１６６】
さらに、上記の第１及び第２の実施形態にかかる棒金Ｐの数え直し処理の方法の少なくとも一部は、ソフトウェアで構成することが可能であり、ソフトウェアで構成する場合には、これらの方法の少なくとも一部を実現するプログラムをフレキシブルディスクやＣＤ−ＲＯＭ等の記録媒体に収納し、現金処理装置１の備える、もしくは、これらの装置と接続されたコンピュータに読み込ませて実行させてもよい。記録媒体は、磁気ディスクや光ディスク等の着脱可能なものに限定されず、ハードディスク装置やメモリなどの固定型の記録媒体でもよい。さらに、これらの方法の少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【符号の説明】
【０１６７】
１    現金処理装置
４０、５０、６０、７０、８０、９０、１００、１１０    画面
１０１    紙幣投入口  
１０３    紙幣一時保留部
１０５    紙幣鑑別部
１０７    万券カセット
１０９    五千券カセット
１１１    千券カセット
１１３    回収カセット
１１５    リジェクト部
１１７    硬貨投入口
１１９    硬貨鑑別部
１２１    硬貨一時保留部
１２３    硬貨返却部
１２５    出金ホッパ
１２７    硬貨回収庫
１２９    硬貨出金箱
１３１    カードリーダ部
１３３    操作表示部
１４０    棒金支払部
１４２    棒金排出口
１４３、１４３ａ〜ｆ    棒金トレイ
１４４    ロータリーシュータ
１４５    棒金ホッパ
１４５ａ、ｂ    第１、第２の区画
１４６    棒金センサ
１４８    排出口シャッタ
１５０    制御部
１５２    計数センサ
１５４    金種判別センサ
１５６    振り分け部
１５６ａ    板
１５６ｂ    回転軸
１５６ｃ    仕切り板
１５８    扉
１６０    可動棒
１６２    レール
Ｃ    回転軸
Ｐ    棒金
【図１】
2017027340.tif 000003
【図２】
2017027340.tif 000004
【図３】
2017027340.tif 000005
【図４】
2017027340.tif 000006
【図５】
2017027340.tif 000007
【図６】
2017027340.tif 000008
【図７】
2017027340.tif 000009
【図８】
2017027340.tif 000010
【図９】
2017027340.tif 000011
【図１０】
2017027340.tif 000012
【図１１】
2017027340.tif 000013
【図１２】
2017027340.tif 000014
【図１３】
2017027340.tif 000015
【図１４】
2017027340.tif 000016
【図１５】
2017027340.tif 000017
【図１６】
2017027340.tif 000018
【図１７】
2017027340.tif 000019
【図１８】
2017027340.tif 000020
【図１９】
2017027340.tif 000021
【図２０】
2017027340.tif 000022
【図２１】
2017027340.tif 000023
【図２２】
2017027340.tif 000024
【図２３】
2017027340.tif 000025